【手続補正書】
【提出日】平成16年5月19日(2004.5.19)
【手続補正１】
【補正対象書類名】特許請求の範囲
【補正対象項目名】全文
【補正方法】変更
【補正の内容】
【特許請求の範囲】
【請求項１】
(a)少なくとも1つのポリマーグリコールおよびアルコキシル化芳香族官能性を有する少なくとも1つのポリオールを混合する過程；および
(b)過程(a)の産物を少なくとも1つの有機ジイソシアネートと反応させる過程
を含む方法により製造されたポリウレタンから作製されたスパンデックス。
【請求項２】
過程(b)の産物を少なくとも1つのジアミンと重合させる過程をさらに含む、請求項1記載のスパンデックス。
【請求項３】
ポリマーグリコールが、ポリメチルテトラヒドロフラン、ポリブチレングリコール、ポリテトラヒドロフラン、ポリ(テトラメチレンエーテル)グリコール、ポリプロピレングリコール、ポリ(3-メチル-1,5-ペンタメチレンエーテル)グリコール、ポリ(テトラメチレンエーテル-コ-3-メチルテトラメチレンエーテル)グリコール、またはそれらの2もしくはそれ以上の混合物であり；アルコキシル化芳香族官能性を有するポリオールが、アルコキシル化ビスフェノールA、アルコキシル化ビス(4-ヒドロキシフェニル)メタン、アルコキシル化1,1-ビス(4-ヒドロキシフェニル)エタン、アルコキシル化2,2-ビス(4-ヒドロキシ-3,5-ジメチルフェニル)プロパン、アルコキシル化2,2-ビス(4-ヒドロキシ-3,5-ジブロモフェニル)プロパン、アルコキシル化2,2-ビス(4-ヒドロキシ-3-メチルフェニル)プロパン、アルコキシル化ビス(4-ヒドロキシフェニル)スルフィド、アルコキシル化ビス(4-ヒドロキシフェニル)スルホン、アルコキシル化ジフェニルフェノール、アルコキシル化2,4-ビス(4-ヒドロキシフェニル)-2-メチルブタン、アルコキシル化1,1-ビス(4-ヒドロキシフェニル)シクロヘキサン、アルコキシル化1,1-ビス(4-ヒドロキシフェニル)-3,3,5-トリメチルシクロヘキサン、アルコキシル化4,4’-ジヒドロキシジフェニルスルフィド、アルコキシル化4,4’-ジヒドロキシジフェニルスルホン、またはそれらの2つまたはそれ以上の混合物であり；ならびに有機ジイソシアネートが、4,4’-メチレン-ビス(フェニルイソシアネート)、1,1’-メチレンビス(4-イソシアナトシクロヘキサン)、4-メチル-1,3-フェニレンジイソシアネート、5-イソシアナト-1-(イソシアナトメチル)-1,3,3-トリメチルシクロヘキサン、1,6-ヘキサメチレンジイソシアネート、トルエン-2,4-ジイソシアネート、およびそれらの2つまたはそれ以上の混合物である、請求項1記載のスパンデックス。
【請求項４】
70〜90重量%の少なくとも1つのポリマーグリコールおよび10〜30重量%のアルコキシル化芳香族官能性を有する少なくとも1つのポリオールを混合する過程を含む、請求項1記載のスパンデックス。
【請求項５】
ポリウレタン尿素は、90〜70重量%のポリテトラヒドロフランおよび10〜30重量%のエトキシル化ビスフェノールAを混合し樹脂を形成させ；樹脂を4,4’-メチレン-ビス(フェニルイソシアネート)と反応させる過程を含む方法により製造され、キャッピング比は1.5対2である、有機溶媒に溶解したポリウレタン尿素の溶液から乾式紡糸されたスパンデックス。
【請求項６】
ポリウレタン尿素は、90〜70重量%のポリテトラヒドロフランおよび10〜30重量%のエトキシル化ビスフェノールAを混合し樹脂を形成させ；樹脂を4,4’-メチレン-ビス(フェニルイソシアネート)と反応させキャッピング比が1.5対2のキャッピングされたグリコールを形成させ；およびキャッピングされたグリコールを、83〜92重量%のエチレンジアミン、8〜17重量%の1,2-ジアミノプロパン、および5〜15重量%のジエチルアミンを含む混合物を用いて重合する過程を含む方法によりポリウレタン尿素を形成することにより製造される、有機溶媒に溶解したポリウレタン尿素の溶液から乾式紡糸されたスパンデックス。
【請求項７】
アルコキシル化芳香族官能性を有するポリオールを含むスパンデックス。
【請求項８】
アルコキシル化芳香族官能性を有するポリオールがアルコキシル化フェノールである、請求項7記載のスパンデックス。
【請求項９】
アルコキシル化フェノールが、アルコキシル化ビスフェノールA、アルコキシル化ビス(4-ヒドロキシフェニル)メタン、アルコキシル化1,1-ビス(4-ヒドロキシフェニル)エタン、アルコキシル化2,2-ビス(4-ヒドロキシ-3,5-ジメチルフェニル)プロパン、アルコキシル化2,2-ビス(4-ヒドロキシ-3,5-ジブロモフェニル)プロパン、アルコキシル化2,2-ビス(4-ヒドロキシ-3-メチルフェニル)プロパン、アルコキシル化ビス(4-ヒドロキシフェニル)スルフィド、アルコキシル化ビス(4-ヒドロキシフェニル)スルホン、アルコキシル化ジフェニルフェノール、アルコキシル化2,4-ビス(4-ヒドロキシフェニル)-2-メチルブタン、アルコキシル化1,1-ビス(4-ヒドロキシフェニル)シクロヘキサン、アルコキシル化1,1-ビス(4-ヒドロキシフェニル)-3,3,5-トリメチルシクロヘキサン、アルコキシル化4,4’-ジヒドロキシジフェニルスルフィド、アルコキシル化4,4’-ジヒドロキシジフェニルスルホン、またはこれらの2つまたはそれ以上の混合物である、請求項8記載のスパンデックス。
【請求項１０】
アルコキシル化ビスフェノールAを含む、スパンデックス。
【請求項１１】
アルコキシル化ビスフェノールAが、2〜10モルのエチレンオキシドを有するエトキシル化ビスフェノールAである、請求項10記載のスパンデックス。
【請求項１２】
アルコキシル化ビスフェノールAは550ppm未満の水分量および25ppm未満のカリウム量を有する、請求項10記載のスパンデックス。
【請求項１３】
少なくとも1つのポリマーグリコールおよびアルコキシル化芳香族官能性を有する少なくとも1つのポリオールを混合し樹脂混合物を形成する過程；
樹脂混合物を少なくとも1つの有機ジイソシアネートと混合しイソシアネート-キャッピングされたグリコールを形成する過程；
イソシアネート-キャッピングされたグリコールを少なくとも1つのジアミンと重合させポリウレタンを形成する過程；および
ポリウレタンの反応紡糸、溶融紡糸、乾式紡糸または湿式紡糸によりスパンデックスを形成する過程；
を含むスパンデックスの製造方法。
【請求項１４】
ポリマーグリコールが、ポリメチルテトラヒドロフラン、ポリブチレングリコール、ポリテトラヒドロフラン、ポリ(テトラメチレンエーテル)グリコール、ポリプロピレングリコール、ポリ(3-メチル-1,5-ペンタメチレンエーテル)グリコール、ポリ(テトラメチレンエーテル-コ-3-メチルテトラメチレンエーテル)グリコール、またはそれらの2つまたはそれ以上の混合物であり；アルコキシル化芳香族官能性を有するポリオールが、アルコキシル化ビスフェノールA、アルコキシル化ビス(4-ヒドロキシフェニル)メタン、アルコキシル化1,1-ビス(4-ヒドロキシフェニル)エタン、アルコキシル化2,2-ビス(4-ヒドロキシ-3,5-ジメチルフェニル)プロパン、アルコキシル化2,2-ビス(4-ヒドロキシ-3,5-ジブロモフェニル)プロパン、アルコキシル化2,2-ビス(4-ヒドロキシ-3-メチルフェニル)プロパン、アルコキシル化ビス(4-ヒドロキシフェニル)スルフィド、アルコキシル化ビス(4-ヒドロキシフェニル)スルホン、アルコキシル化ジフェニルフェノール、アルコキシル化2,4-ビス(4-ヒドロキシフェニル)-2-メチルブタン、アルコキシル化1,1-ビス(4-ヒドロキシフェニル)シクロヘキサン、アルコキシル化1,1-ビス(4-ヒドロキシフェニル)-3,3,5-トリメチルシクロヘキサン、アルコキシル化4,4’-ジヒドロキシジフェニルスルフィド、アルコキシル化4,4’-ジヒドロキシジフェニルスルホン、またはそれらの2つまたはそれ以上の混合物であり；ならびに、有機ジイソシアネートは、4,4’-メチレン-ビス(フェニルイソシアネート)、1,1’-メチレンビス(4-イソシアナトシクロヘキサン)、4-メチル-1,3-フェニレンジイソシアネート、5-イソシアナト-1-(イソシアナトメチル)-1,3,3-トリメチルシクロヘキサン、1,6-ヘキサメチレンジイソシアネート、トルエン-2,4-ジイソシアネート、およびそれらの2つまたはそれ以上の混合物である、請求項13記載の方法。
【請求項１５】
70〜90重量%の少なくとも1つのポリマーグリコールおよび10〜30重量%のアルコキシル化芳香族官能性を有する少なくとも1つのポリオールを混合し樹脂混合物を形成する過程を含む、請求項13記載の方法。
【請求項１６】
イソシアネート-キャッピングされたグリコールのキャッピング比が1.5〜2である、請求項13記載の方法。
【請求項１７】
ポリマーグリコールがポリテトラヒドロフランであり；アルコキシル化芳香族官能性を有するポリオールがアルコキシル化ビスフェノールAであり、および有機ジイソシアネートが4,4’-メチレン-ビス(フェニルイソシアネート)である、請求項13記載の方法。
【請求項１８】
イソシアネート-キャッピングされたグリコールを少なくとも2つのジアミンと重合させポリウレタンを形成する過程を含む、請求項13記載の方法。
【請求項１９】
イソシアネート-キャッピングされたグリコールをエチレンジアミン、1,2-ジアミノプロパン、およびジエチルアミンと重合させる過程を含む、請求項13記載の方法。
【請求項２０】
請求項13記載の方法により形成したスパンデックス。
【請求項２１】
請求項1、5、6、10、または20記載のスパンデックスを含む衣類品。
【請求項２２】
請求項1、5、6、10、または20記載のスパンデックスを含む使い捨てパーソナルケア製品。
【請求項２３】
エトキシル化ビスフェノールAが約2〜約10モルのエチレンオキシドを含む、請求項5記載のスパンデックス。
【請求項２４】
エトキシル化ビスフェノールAが約4〜約8モルのエチレンオキシドを含む、請求項23記載のスパンデックス。
【請求項２５】
有機溶媒が、ジメチルアセトアミド、ジメチルホルムアミド、N-メチルピロリドン、ジメチルスホキシド、またはこれらの2もしくはそれ以上の混合物を含む、請求項5記載のスパンデックス。
【請求項２６】
耐塩素添加物、抗菌剤、抗酸化剤、熱安定剤、ガス耐性安定化剤、顔料、つや消し剤、抗粘着添加物、熱固定添加物、染料、乳化剤、湿潤剤、静電気防止剤、pH調節剤、ブロッキング防止剤、フィラメント圧縮剤、腐食防止剤、分散剤、潤滑剤、またはこれらの2もしくはそれ以上の混合物をさらに含む、請求項5記載のスパンデックス。
【請求項２７】
コアおよび請求項5記載のスパンデックスを含む供給パッケージ。
【請求項２８】
エトキシル化ビスフェノールAが約2〜約10モルのエチレンオキシドを含む、請求項6記載のスパンデックス。
【請求項２９】
エトキシル化ビスフェノールAが約4〜約8モルのエチレンオキシドを含む、請求項28記載のスパンデックス。
【請求項３０】
有機溶媒が、ジメチルアセトアミド、ジメチルホルムアミド、N-メチルピロリドン、ジメチルスホキシド、またはこれらの2もしくはそれ以上の混合物を含む、請求項6記載のスパンデックス。
【請求項３１】
耐塩素添加物、抗菌剤、抗酸化剤、熱安定剤、ガス耐性安定化剤、顔料、つや消し剤、抗粘着添加物、熱固定添加物、染料、乳化剤、湿潤剤、静電気防止剤、pH調節剤、ブロッキング防止剤、フィラメント圧縮剤、腐食防止剤、分散剤、潤滑剤、またはこれらの2もしくはそれ以上の混合物をさらに含む、請求項6記載のスパンデックス。
【請求項３２】
コアおよび請求項7記載のスパンデックスを含む供給パッケージ。
【請求項３３】
ポリマーグリコールがポリカーボネートグリコール、ポリエステルグリコール、ポリエーテルグリコール、またはこれらの2もしくはそれ以上の混合物である、請求項1記載のスパンデックス。
【請求項３４】
ポリマーグリコールが、ポリ(ペンタン-1,5-カーボネート)ジオール、ポリ(ヘキサン-1,6-カーボネート(ジオール)、またはこれらの混合物である、請求項1記載のスパンデックス。
【請求項３５】
ポリマーグリコールがジオールと二酸の重縮合生成物である、請求項1記載のスパンデックス。
【請求項３６】
ジオールがエチレングリコール、1,4-ブタンジオール、2,2-ジメチル-1,3-プロパンジオール、またはこれらの2もしくはそれ以上の混合物である、請求項35記載のスパンデックス。
【請求項３７】
二酸が、アジピン酸、コハク酸、ドデカン二酸、またはこれらの2もしくはそれ以上の混合物である、請求項35記載のスパンデックス。
【請求項３８】
アルコキシル化芳香族官能基を有するポリオールが、アルコキシル化2,2-ビス(4-ヒドロキシフェニル)プロパン、アルコキシル化ビス(4-ヒドロキシフェニル)メタン、アルコキシル化1,1-ビス(4-ヒドロキシフェニル)エタン、アルコキシル化2,2-ビス(4-ヒドロキシ-3,5-ジメチルフェニル)プロパン、アルコキシル化2,2-ビス(4-ヒドロキシ-3,5-ジブロモフェニル)プロパン、アルコキシル化2,2-ビス(4-ヒドロキシ-3-メチルフェニル)プロパン、アルコキシル化ビス(4-ヒドロキシフェニル)スルフィド、アルコキシル化ビス(4-ヒドロキシフェニル)スルホン、またはこれらの2もしくはそれ以上の混合物である、請求項1記載のスパンデックス。
【請求項３９】
アルコキシル化芳香族官能基を有するポリオールが、アルコキシル化フェノールである、請求項1記載のスパンデックス。
【請求項４０】
アルコキシル化フェノールがアルコキシル化ジフェノールまたはアルコキシル化二価フェノールである、請求項39記載のスパンデックス。
【請求項４１】
過程(b)の生成物を少なくとも1つのジアミンならびにジオールおよびアミノアルコールからなる群より選択される少なくとも1つの鎖伸長剤と共に重合させる過程を含む、請求項2記載のスパンデックス。
【請求項４２】
耐塩素添加物、抗菌剤、抗酸化剤、熱安定剤、ガス耐性安定化剤、顔料、つや消し剤、抗粘着添加物、熱固定添加物、染料、乳化剤、湿潤剤、静電気防止剤、pH調節剤、フィラメント圧縮剤、腐食防止剤、分散剤、および潤滑剤からなる群から選択される少なくとも1つの化合物をさらに含む、請求項1記載のスパンデックス。
【請求項４３】
ポリマーグリコールが、ポリカーボネートグリコール、ポリエステルグリコール、ポリエーテルグリコール、またはこれらの2もしくはそれ以上の混合物である、請求項13記載の方法。
【請求項４４】
アルコキシル化芳香族官能基を有するポリオールが、アルコキシル化フェノールである、請求項13記載の方法。
【請求項４５】
アルコキシル化フェノールが、アルコキシル化ジフェノールまたはアルコキシル化二価フェノールである、請求項44記載の方法。
【請求項４６】
ポリウレタンを乾式紡糸してスパンデックスを形成させる過程を含む、請求項13記載の方法。
【請求項４７】
ポリウレタン尿素が
95〜60重量%のポリマーグリコールおよび5〜40重量%のアルコキシル化ビスフェノールAを混合し、樹脂を形成する過程；
樹脂を少なくとも１つの有機ジイソシアネートと反応させキャッピングされたグリコールを形成させる過程；および
キャッピングされたグリコールを少なくとも1つの鎖伸長剤と重合させポリウレタンを形成させる過程；および
を含む方法により製造される、溶媒に溶解したポリウレタン尿素溶液から紡糸したスパンデックス。
【請求項４８】
ポリマーグリコールが、ポリカーボネートグリコール、ポリエステルグリコール、ポリエーテルグリコール、またはこれらの2もしくはそれ以上の混合物である、請求項47記載のスパンデックス。
【請求項４９】
ポリマーグリコールが、ポリメチルテトラヒドロフラン、ポリブチレングリコール、ポリテトラヒドロフラン、ポリ(テトラメチレンエーテル)グリコール、ポリプロピレングリコール、ポリ(3-メチル-1,5-ペンタメチレンエーテル)グリコール、ポリ(テトラメチレンエーテル-co-3-メチルテトラメチレンエーテル)グリコール、またはこれらの2もしくはそれ以上の混合物である、請求項47記載のスパンデックス。
【請求項５０】
有機ジイソシアネートが、4,4’-メチレン-ビス(フェニルイソシアネート)、1,1’-メチレンビス(4-イソシアナトシクロヘキサン)、4-メチル-1,3-フェニレンジイソシアネート、5-イソシアナト-1-(イソシアナトメチル)-1,3,3-トリメチルシクロヘキサン、1,6-ヘキサメチレンジイソシアネート、トルエン-2,4-ジイソシアネート、またはこれらの2もしくはそれ以上の混合物である、請求項47記載のスパンデックス。
【請求項５１】
少なくとも1つの鎖伸長剤が、エチレンジアミン、1,3-シクロヘキサンジアミン、1,4-シクロヘキサンジアミン、1,3-ジアミノプロパン、1,2-ジアミノプロパン、1,3-ジアミノペンタン、2-メチル-1,5-ペンタンジアミン、イソホロンジアミン、1-アミノ-3-アミノエチル-3,5,5-トリメチルシクロヘキサン、またはこれらの2もしくはそれ以上の混合物である、請求項47記載のスパンデックス。
【請求項５２】
ポリウレタン尿素が、90〜70重量%のポリマーグリコールおよび10〜30重量%のアルコキシル化ビスフェノールAを混合し、樹脂を形成する過程を含む方法により製造される、請求項47記載のスパンデックス。
【請求項５３】
ポリウレタン尿素が、90〜75重量%のポリマーグリコールおよび10〜25重量%のアルコキシル化ビスフェノールAを混合し、樹脂を形成する過程を含む方法により製造される、請求項52記載のスパンデックス。
【請求項５４】
ポリウレタン尿素が、85〜80重量%のポリマーグリコールおよび15〜20重量%のアルコキシル化ビスフェノールAを混合し、樹脂を形成する過程を含む方法により製造される、請求項53記載のスパンデックス。
【請求項５５】
キャッピング比が1.5対3である、請求項47記載のスパンデックス。
【請求項５６】
キャッピング比が1.5対2である、請求項55記載のスパンデックス。
【請求項５７】
キャッピング比が1.6対1.9である、請求項56記載のスパンデックス。
【請求項５８】
スパンデックスが、溶媒に溶解したポリウレタン尿素溶液から乾式紡糸される、請求項47記載のスパンデックス。
【請求項５９】
ポリウレタン尿素が、95〜60重量%のポリテトラヒドロフランおよび5〜40重量%のアルコキシル化ビスフェノールAを混合し、樹脂を形成する過程；および樹脂を4,4’-メチレン-ビス(フェニルイソシアネート)と反応させる過程であって、キャッピング比が1.5対3である過程；を含む方法により製造される、有機溶媒に溶解したポリウレタン尿素溶液から乾式紡糸したスパンデックス。
【請求項６０】
ポリウレタン尿素が、95〜60重量%のポリテトラヒドロフランおよび5〜40重量%のアルコキシル化ビスフェノールAを混合し、樹脂を形成する過程；樹脂を4,4’-メチレン-ビス(フェニルイソシアネート)と反応させキャッピングされたグリコールを形成する過程であって、キャッピング比が1.5対3である過程；およびキャッピングされたグリコールを、83〜92重量%のエチレンジアミン、8〜17%の1,2-ジアミノプロパン、および5〜15%のジエチルアミンを含む混合物と重合させ、ポリウレタン尿素を形成する過程；を含む方法により製造される、有機溶媒に溶解したポリウレタン尿素溶液から乾式紡糸したスパンデックス。
【請求項６１】
エトキシル化ビスフェノールAを含むスパンデックス。